(57)【要約】【課題】滑り止め用の部材（例えば、滑り止め用フィルム）を使用することなしに、段ボール箱の荷崩れを防止することができる段ボールパレットの滑り止め構造を提供する。【解決手段】上部に段ボール箱２が固定される段ボールパレット１の滑り止め構造において、段ボールパレット１の下面側には空間部（係合用凹部）７が形成されている。そして、段ボール箱２の上面側には、段ボールパレット１が重ねて載せられた際に、段ボールパレット１の空間部７に係合する係合片１３１〜１３４が形成されている。【選択図】図１
2006232282.tif 000002
【特許請求の範囲】
【請求項１】
上部に段ボール箱が固定される段ボールパレットの滑り止め構造において、
前記段ボールパレットの下面側には係合用凹部が形成され、
前記段ボール箱の上面側には、前記段ボールパレットが重ねて載せられた際に、前記段ボールパレットの係合用凹部に係合する係合片が形成されたことを特徴とする段ボールパレットの滑り止め構造。
【請求項２】
上部に段ボール箱が固定される段ボールパレットの滑り止め構造において、
前記段ボールパレットは、平面形状が略田の字形状のフレーム部を備え、
前記段ボール箱は、その上面側に上蓋を構成する４片の折り返し部材が形成され、
前記段ボール箱の前記折り返し部材には、前記段ボールパレットが重ねて載せられた際に、前記段ボールパレットのフレーム部によって仕切られた４箇所の空間部に係合し、且つ、前記空間部の外縁を形作る前記フレーム部に突き当てられる係合片が形成されたことを特徴とする段ボールパレットの滑り止め構造。
【発明の詳細な説明】
【技術分野】
【０００１】
この発明は、画像形成装置としてのプリンタや各種電子機器等を収容した段ボール箱を載せて運搬するために使用する段ボールパレットの滑り止め構造に関し、特に、段ボール箱の上に重ね積みされた段ボールパレットが滑って荷崩れを起こすのを防止するための段ボールパレットの滑り止め構造に関する。
【背景技術】
【０００２】
従来、ＯＡ機器等を収容した段ボール箱を積み重ねて運搬する場合、段ボール箱の重ね合わせ面が滑って荷崩れを生じるのを防止するため、段ボール箱の積み重ね面に摩擦抵抗の大きな滑り止め用フィルムを貼り付けるようにした技術が開発された（特許文献１参照）。
【０００３】
【特許文献１】特開２０００−６３７７８号公報
【発明の開示】
【発明が解決しようとする課題】
【０００４】
しかしながら、滑り止め用フィルムは、粘着剤で段ボール箱の表面に貼り付けられるようになっているため、再利用することができず、使い捨てられることになり、滑り止め用フィルムの分だけコスト高になるという問題を有していた。
【０００５】
また、段ボール箱を構成する段ボール自体は再利用が可能であるため、段ボールの廃棄処分時に滑り止め用フィルムを剥がす作業が必要になり、作業工数が掛かる分だけ廃棄処理コストが嵩むという問題を有していた。
【０００６】
そこで、本発明は、上述した従来技術の問題点を解決するため、段ボール箱を積み重ねて搬送する際に使用する段ボールパレットの構造に着目し、滑り止め用の部材（例えば、滑り止め用フィルム）を使用することなしに、段ボール箱の荷崩れを防止することができる段ボールパレットの滑り止め構造を提供する。
【課題を解決するための手段】
【０００７】
請求項１の発明は、上部に段ボール箱が固定される段ボールパレットの滑り止め構造に関するものである。この発明において、前記段ボールパレットの下面側には係合用凹部が形成されている。また、前記段ボール箱の上面側には、前記段ボールパレットが重ねて載せられた際に、前記段ボールパレットの係合用凹部に係合する係合片が形成されている。
【０００８】
請求項２の発明は、上部に段ボール箱が固定される段ボールパレットの滑り止め構造に関するものである。この発明において、前記段ボールパレットは、平面形状が略田の字形状のフレーム部によって構成されている。また、前記段ボール箱は、その上面側に上蓋を構成する４片の折り返し部材が形成されている。そして、前記段ボール箱の前記折り返し部材には、前記段ボールパレットが重ねて載せられた際に、前記段ボールパレットのフレーム部によって仕切られた４箇所の空間部に係合し、且つ、前記空間部の外縁を形作る前記フレーム部に突き当てられる係合片が形成されている。
【発明の効果】
【０００９】
本発明によれば、段ボール箱の係合片を、重ねて載せられる段ボールパレットの係合用凹部に係合することにより、上側の段ボールパレットが下側の段ボール箱に対して滑るのを防止できるため、運搬時における荷崩れを防止できる。
【００１０】
また、本発明によれば、滑り止め用フィルムを段ボール箱に貼り付ける必要がなく、滑り止め用フィルムを使用する技術に比較して梱包コストを低減できる。
【００１１】
また、本発明によれば、段ボール箱を再利用する場合に、段ボールから滑り止め用フィルムを剥がす作業が不要になるため、段ボールの廃棄処理コストを低減することができる。
【発明を実施するための最良の形態】
【００１２】
以下、本発明の最良の実施形態を図面に基づき詳述する。
【００１３】
図１及び図２は、本発明に段ボールパレット１の滑り止め構造を説明するための図である。このうち、図１は、段ボールパレット１の上に段ボール箱２が載せられた状態を示すと共に、段ボール箱２の上に重ねて載置される段ボールパレット１と段ボール箱２との関係を示す斜視図である。また、図２は、段ボールパレット１の外観斜視図である。なお、図１に示した段ボール箱２の上方に位置する段ボールパレット１は、図２のＡ−Ａ線に沿って切断したものである。
【００１４】
これらの図に示すように、段ボールパレット１の上には直方体形状（箱状）の段ボール箱２が載せられて、段ボール箱２の下端側の４側面（側面片３１〜３４）が脱着可能な固定手段（例えば、クリップ）４で段ボールパレット１の段ボール固定用部材５に固定されるようになっている。
【００１５】
段ボールパレット１は、上下のフレーム部６１，６２と、これら上下のフレーム部６１，６２間に配置された緩衝材（発泡スチロールやゴム部材等の緩衝機能を有する部材）８とで構成されている。この段ボールパレット１のうちの上側フレーム部６１は、平面形状が四角形の薄板状部材で形成されており、上面側の４辺の中央部に舌片状の段ボール固定用部材５がそれぞれ突出形成されている。また、下側フレーム部６２は、その下面側の平面形状が略田の字形状を呈しており、下側フレーム部６２を構成する各辺に仕切られるように４箇所の空間部（係合用凹部）７が形成されている。そして、この段ボールパレット１の上下のフレーム部６１，６２の間で、且つ、下側フレーム部６２の各辺が交差する９箇所には、略直方体形状の緩衝材８が固定されている。空間部７の平面形状は、四角形状であり、例えば、ハンドフォークリフトの車輪の一部を収容できる程度の大きさに形成されている。なお、段ボールパレット１の上下のフレーム部６１，６２と緩衝材８によって形成される隙間１０には、ハンドフォークリフト等のフォーク（二本の荷揚げ用爪）が挿入されるようになっている。
【００１６】
段ボール箱２は、図３に示すような展開された段ボール１１が折り曲げられて所定形状に形成されるものであり、側面を構成する４枚の側面片３１〜３４と、これら側面片３１〜３４の各上辺３１ａ〜３４ａに折り曲げ可能に形成されて上蓋を構成する折り返し部材１２１〜１２４とを備えている（図１及び図４参照）。このうち、折り返し部材１２１〜１２４は、図３に示すように、略四角形の板状部材の一部を切り欠くようにして係合片１３１〜１３４が形成されている。
【００１７】
すなわち、折り返し部材１２１〜１２４は、図３に示すように、その幅方向の略中間位置から左側部分を切り欠いて段ボールパレット１の空間部７に係合する係合片１３１〜１３４が形成されている。この段ボール１１の係合片１３１〜１３４は、側面片３１〜３４の上辺３１ａ〜３４ａの左端部から右斜め上方に切り上げられる第１の傾斜辺ａと、この第１の傾斜辺ａの上端部から水平方向（側面片３１〜３４の上辺３１ａ〜３４ａと平行）に延びる突き当て辺ｂと、この突き当て辺ｂの右端部から右斜め下方に切り下げられる第２の傾斜辺ｃと、この第２の傾斜辺ｃの下端部から右斜め上方に切り上げられる第３の傾斜辺ｄと、を備えている。このうち、第２の傾斜辺ｃの切り下げ寸法Ｌ１は、側面片３１〜３４の上辺３１ａ〜３４ａから突き当て辺ｂまでの高さ寸法をＨとすると、０．２５〜０．３Ｈ程度の寸法に設定されている。そして、係合片１３１〜１３４の各突き当て辺ｂは、段ボールパレット１の空間部７の外縁を形作る下側フレーム部６２に突き当てられるようになっている（図６参照）。
【００１８】
また、図３において、右端の側面片３１は、第３の傾斜辺ｄの上端から右側側辺ｅまでのほぼ中間部分において、上辺ｆから側面片３１との境界部（側面片３１の上辺３１ａ）まで延びる切り込み１４が入れられて、分離片１５が他部と分離されている。なお、図３及び図１において、Ｐで示す部分が突き当て部分となり、段ボールパレット１が段ボール箱２に対して滑りを生じるのを防止するストッパ機能を発揮する部分である。
【００１９】
なお、図３において、段ボール１１には左端の側面片３２の左側側辺ｇに沿って糊代片１６が形成されており、この糊代片１６が右端の側面片３１の右側側辺ｅに沿って糊付け又はステープル止めされるようになっている。また、図３において、点線で示す部分は、各側面片３１〜３４と各折り返し部材１２１〜１２４の折り曲げ部分を示している。また、各側面片３１〜３４の下端部には固定手段が係合される固定部（穴）１７が形成されている。
【００２０】
段ボール箱２は、図３に示すように展開された段ボール１１を、図４に示すように折り曲げて、下方にのみ開口する直方体形状（底なし段ボール箱）に形成する。すなわち、先ず、図４に示すように、段ボール１１の各側面片３１〜３４を折り曲げて上部が開口する直方体を形成し、上述した糊代片１６を側面片３１に固定する。次に、図４に示すように、第１の折り返し部材１２１の分離片１５を折り曲げた後、その分離片１５と隣り合う第２の折り返し部材１２２を分離片１５上に重ねるように折り曲げる。次いで、第２の折り返し部材１２２と隣り合う第３の折り返し部材１２３を第２の折り返し部材１２２上に重ねるように折り曲げる。次いで、第３の折り返し部材１２３と隣り合う第４の折り返し部材１２４を、第３の折り返し部材１２３上に重ねるように折り曲げる。その後、この第４の折り返し部材１２４と隣り合う第１の折り返し部材１２１を、第４の折り返し部材１２４上に重ねるように折り曲げ、第１の折り返し部材１２１のうちの第２の折り返し部材１２２と重なる部分を第２の折り返し部材１２２の下側に潜り込ませる。これにより、下方にのみ開口する直方体形状の段ボール箱２が形成されることになる（図１及び図６参照）。なお、分離片１５を形成しておくことにより、第１の折り返し部材１２１を第２の折り返し部材１２２の下方に潜り込ませる作業が容易になる。
【００２１】
そして、段ボールパレット１上に図示しない被梱包体（例えば、プリンタ、電子機器）を載せ、その被梱包体に被せるように底なしの段ボール箱２を段ボールパレット１上に置く。そして、段ボールパレット１の段ボール固定用部材５に、段ボール箱２の各側面片３１〜３４の下端に形成した固定部１７を脱着可能な固定部材（例えば、再利用可能な樹脂クリップ、結束バンド）４により固定する。これにより、段ボールパレット１の上部に段ボール箱２が固定されてなる段ボールパレットユニット２０が完成する（図１及び図６参照）。
【００２２】
このような段ボールパレットユニット２０は、図５に示すように、複数個が積み重ねられた状態で運搬される場合がある。このような場合、下側の段ボール箱２は、各折り返し部材１２１〜１２４の係合片１３１〜１３４の先端部を取り囲む部分（図９の斜線で示す部分）が上側の段ボールパレット１の下側フレーム部６２によって押圧されて圧縮変形し、係合片１３１〜１３４の先端部が他部よりも浮き上がることになる。その結果、上側の段ボールパレット１の空間部７の外縁を形作る下側フレーム部６２には係合片１３１〜１３４の先端に位置する突き当て辺ｂが突き当てられ、上側の段ボールパレット１が下側の段ボール箱２に対してずれ動くのを係合片１３１〜１３４によって阻止することが可能になる（図６参照）。なお、段ボール箱２の係合片１３１〜１３４は、第２の傾斜辺ｃの切り下げ寸法Ｌ１が側面片３１〜３４の上辺３１ａ〜３４ａから突き当て辺ｂまでの高さ寸法Ｈに対して０．２５〜０．３Ｈ程度に抑えられているため、蓋部材としての機能を発揮できると共に、重ねて載せられる段ボールパレット１の滑り止めストッパとしての機能を発揮できる剛性を有している。
【００２３】
以上のように本実施形態によれば、段ボール箱２の折り返し部材１２１〜１２４の一部を係合片１３１〜１３４とし、この係合片１３１〜１３４を上側に載せられる段ボールパレット１の空間部（係合用凹部）７の外縁（下側フレーム部６２）に突き当てることにより、重ね置きされた上側の段ボールパレット１（段ボールパレットユニット２０）が下側の段ボール箱２に対して滑るのを防止できるため、運搬時における荷崩れを防止できる（図５、図６及び図１参照）。
【００２４】
このような本実施形態の段ボールパレット１の滑り止め構造によれば、滑り止め用フィルムを段ボール箱２に貼り付ける必要がなく、滑り止め用フィルムを使用する技術に比較して梱包コストを低減できる。
【００２５】
また、本実施形態の段ボールパレット１の滑り止め構造によれば、段ボール箱２を再利用する場合に、段ボール２（段ボール１１）から滑り止め用フィルムを剥がす作業が不要になるため、段ボール箱２の廃棄処理コストを低減することができる。
【００２６】
なお、上述の実施形態は、係合片１３１〜１３４を４箇所形成する態様を例示したが、図７に示すように、４片の折り返し部材１２１〜１２４のうちの対角線上に位置する２片（例えば、折り返し部材１２２，１２４）にのみ、係合片１３２，１３４を形成するようにしてもよい。
【００２７】
また、図８に示すように、４片の折り返し部材１２１〜１２４のうちの任意の３片（例えば、折り返し部材１２１，１２２，１２４）にのみ係合片（例えば、係合片１３１，１３２，１３４）を形成するようにしてもよい。
【００２８】
また、段ボール箱２は、図９に示すように、段ボールパレット１の下側フレーム部６２が載せられる部分（斜線部分）を予め圧縮変形させて薄くしておき、段ボールパレット１の空間部７に係合される係合片１３１〜１３４を部分的に他部よりも厚くしておくことにより、係合片１３１〜１３４が段ボールパレット１の開口部７の外縁を形作る下側フレーム部６２に一層確実に突き当てられる。
【００２９】
また、段ボール箱２は、図１０に示すように、係合片１３１〜１３４の先端部を折り曲げて起立部分２１を形成し、その係合片１３１〜１３４の突き当て辺ｂを確実に段ボールパレット１の空間部７の外縁を形作る下側フレーム部６２に突き当てると共に、係合片１３１〜１３４の起立部分２１を空間部７に係合させることにより、段ボールパレット１の滑り止め効果を向上させることが可能になる。
【００３０】
また、本発明において、上述の底なしタイプの段ボール箱２に限らず、底がある通常の段ボール箱を段ボールパレット１に固定して段ボールパレットユニット２０とすることができる。
【図面の簡単な説明】
【００３１】
【図１】本発明の段ボールパレットの滑り止め構造を説明するための段ボールパレットユニットと段ボールパレット（下側フレーム部）の外観斜視図である。
【図２】段ボールパレットの外観斜視図である。
【図３】段ボール箱の展開図である。
【図４】段ボール箱の組立途中の状態図である。
【図５】段ボールパレットユニットを重ね合わせて示す外観斜視図である。
【図６】段ボールパレットユニットの外観斜視図である。
【図７】本発明の第１変形例を示す段ボールパレットユニットの外観斜視図である。
【図８】本発明の第２変形例を示す段ボールパレットユニットの外観斜視図である。
【図９】本発明の第３変形例を示す段ボールパレットユニットの外観斜視図である。
【図１０】本発明の第４変形例を示す段ボールパレットユニットの外観斜視図である。
【符号の説明】
【００３２】
１……段ボールパレット、２……段ボール箱、７……空間部（係合用凹部）、６２……フレーム部、１３１〜１３４……係合片
【図１】
2006232282.tif 000003
【図２】
2006232282.tif 000004
【図３】
2006232282.tif 000005
【図４】
2006232282.tif 000006
【図５】
2006232282.tif 000007
【図６】
2006232282.tif 000008
【図７】
2006232282.tif 000009
【図８】
2006232282.tif 000010
【図９】
2006232282.tif 000011
【図１０】
2006232282.tif 000012